(57)【特許請求の範囲】
【請求項１】
カードが挿入されるカード挿入部と、前記カード挿入部に挿入されたカードの各接触部とそれぞれ接触する複数の端子とを備えるカード用コネクタ装置において、
前記各接触部は、少なくともグランド用接触部と信号用接触部とを有し、前記カード挿入部にカードを挿入するための挿入口には金属製の開閉扉が設けられるとともに前記開閉扉には突出部が形成され、挿入開始状態にある前記カードのグランド用接触部から前記突出部までの最短距離が前記信号用接触部から前記開閉扉までの最短距離より短くなるように構成されていることを特徴とするカード用コネクタ装置。
【請求項２】
前記各接触部は前記カードの挿入方向とは直交する方向に並設され、その並設された各接触部のうち両端側に位置する接触部がグランド用接触部であって、前記各グランド用接触部に対応して前記開閉扉の両端部に前記突出部は形成されていることを特徴とする請求項１記載のカード用コネクタ装置。
【請求項３】
前記各突出部は前記挿入開始状態にあるカードのグランド用接触部に対向する位置よりそれぞれ外方に配置されていることを特徴とする請求項１又は２記載のカード用コネクタ装置。
【請求項４】
前記カード挿入部を覆う金属製のカバーが設けられるとともに前記カバーは前記回路基板のグランドパターンに接続され、前記開閉扉は前記カバーを介して前記回路基板のグランドパターンに接続されることを特徴とする請求項１乃至３記載のカード用コネクタ装置。
【発明の詳細な説明】
【０００１】
【発明の属する技術分野】
本発明は、メモリを構成するＩＣ等が内装されたカードを装着するカード用コネクタ装置に関し、特にカードを挿入するための挿入口に金属製の開閉扉が設けられているものに関する。
【０００２】
【従来の技術】
従来、小型メモリカードが装着されるカード用コネクタ装置には、図８に示すように、カード挿入口１に金属製の開閉扉２を備えたものがある。かかる開閉扉２はカード挿入口１を塞ぐように横長な長方形状をなし、左右両縁部に突出する回動軸２ａ、２ａが金属製のカバー３の前端部に支持され、上下方向（図８中、紙面と直交する方向）に回動可能となっている。また、図示しないが、カバー３の一部分が回路基板のグランドパターンに半田付けされるようになっており、開閉扉２はカバー３を介して回路基板のグランドパターンに導通されている。
【０００３】
【発明が解決しようとする課題】
ところで、挿入するメモリカード４が静電気に帯電或いはメモリカード４を挿入する操作者が静電気に帯電していると、メモリカード４を挿入する際、メモリカード４の接触部５から開閉扉２に静電気の放電が起きる場合がある。しかし、従来の構成では、各接触部５から開閉扉２までのそれぞれの最短距離が同じであるためどの接触部５から開閉扉２に放電が起きるかわからず、グランド用の接触部５から放電が起きた場合にはメモリカード４内の回路に影響を及ぼすことはないが、信号用の接触部５から放電が起きるとメモリカード４内の回路の信号ラインに数千〜万ボルトの電圧が発生しカード内のＩＣ或いはメモリに記録されたデータ等が破壊されてしまう虞があった。
【０００４】
本発明は、上記事情に鑑みてなされたもので、その目的は、カード挿入口に金属製の開閉扉を備えたものにおいて、静電気に帯電したカードを挿入する際にカード内の回路等が破壊されてしまうことを防止できるカード用コネクタ装置を提供するところにある。
【０００５】
【課題を解決するための手段】
上記目的を達成するために、請求項１のカード用コネクタ装置は、カードが挿入されるカード挿入部と、カード挿入部に挿入されたカードの各接触部とそれぞれ接触する複数の端子とを備えるカード用コネクタ装置において、各接触部は、少なくともグランド用接触部と信号用接触部とを有し、カード挿入部にカードを挿入するための挿入口には金属製の開閉扉が設けられるとともに開閉扉には突出部が形成され、挿入開始状態にあるカードのグランド用接触部から突出部までの最短距離が信号用接触部から開閉扉までの最短距離より短くなるように構成されていることを特徴とする。
【０００６】
請求項２のカード用コネクタ装置は、各接触部はカードの挿入方向とは直交する方向に並設され、その並設された各接触部のうち両端側に位置する接触部がグランド用接触部であって、各グランド用接触部に対応して開閉扉の両端部に突出部は形成されていることを特徴とする。
【０００７】
請求項３のカード用コネクタ装置は、各突出部は挿入開始状態にあるカードのグランド用接触部に対向する位置よりそれぞれ外方に配置されていることを特徴とする。
【０００８】
請求項４のカード用コネクタ装置は、カード挿入部を覆う金属製のカバーが設けられるとともにカバーは回路基板のグランドパターンに接続され、開閉扉はカバーを介して回路基板のグランドパターンに接続されることを特徴とする。
【０００９】
【発明の作用・効果】
請求項１の発明によれば、開閉扉に突出部を形成して挿入開始状態にあるカードのグランド用接触部から突出部までの最短距離を、信号用接触部からカバーまでの最短距離より短くしたので、カードが静電気に帯電していても静電気はグランド用接触部から突出部に放電され易い。従って、静電気の放電でカード内の回路の信号ラインに高電圧がかかることがなく、カード内の回路等の破壊を防止できる。
【００１０】
請求項２の発明によれば、カードの両端側に位置する各グランド用接触部に対応して開閉扉の両端部に突出部を形成したので、カードが静電に帯電していても挿入開始時に静電気はグランド用接触部から開閉扉の両端部に形成された突出部に放電され易い。従って、挿入開始時に静電気の放電で、カード内の回路等が破壊されることを防止できる。
【００１１】
請求項３の発明によれば、各突出部は挿入開始状態にあるカードのグランド用接触部と対抗する位置より外方に配置されているため、確実にグランド用接触部から突出部までの最短距離を信号用接触部から突出部までの最短距離より短くできる。従って、より一層、静電気はグランド用接触部から突出部に放電され易く、カード内の回路等が破壊されることを防止できる。
【００１２】
請求項４の発明によれば、開閉扉はカバーを介して回路基板のグランドパターンと接続されているため、突出部に放電された静電気はカバーを介して回路基板のグランドに流れ、回路基板上の信号ラインに静電気が流れることを防止できる。
【００１３】
【発明の実施の形態】
＜第１実施形態＞
以下、本願発明のカード用コネクタ装置を具体化した第１実施形態について図１乃至図６を参照して説明する。
【００１４】
まず、第１実施形態のカード用コネクタ装置に装着されるカードについて説明する。図６に示すように、カード１０は、長方形状をなし、樹脂製のケース１１内に、メモリを構成するＩＣ等を実装した回路基板（図示せず）を備えて構成される。カード１０の前端部下面（図６中、左端部下面）には、複数の接触部１２が配設されており、各接触部１２のうち左右両端側（図６中、上下両端側）に位置する接触部１２がグランド用接触部１２ａであり、中央に位置する接触部１２が電源用接触部１２ｂであり、その他の接触部１２が信号用接触部１２ｃとなっている。
【００１５】
第１実施形態のカード用コネクタ装置は、図１乃至図５に示すように、樹脂製のハウジング２０とこのハウジング２０を覆う金属製のカバー２２とを備えて構成される。
図５に示すように、ハウジング２０には、カード１０が挿着されるカード挿入部２１と、その奥部にカード１０の複数の接触部１２とそれぞれ接触する端子２３が設けられている。カード挿入部２１は、上面を方形状に凹ませて形成され、前縁部（図５中、右縁部）にカード挿入口２１ａを有している。また、左右両内壁面（図５中、上下両内壁面）がカード１０を挿着位置へ案内するためのガイド面２１ｂ、２１ｂとなっている。
【００１６】
各端子２３は、図５に示すように、細長な弾性片からなり、先端部をカード挿入部２１内へ突出させた状態で、カード挿入方向とは直交する方向に９個並設されている。各端子２３の先端部には、カード１０の各接触部１２と接触する接点が形成され、先端部とは反対側の端部は、ハウジング２０の後端部（図５中、左端部）から後方へ突出し、回路基板２４の回路パターンに半田付けされるようになっている。各端子２３のうち、左右両端側（図５中、上下両端側）に位置する２つの端子２３が、グランド用端子２３ａで、中央に位置する端子２３が電源用端子２３ｂ、その他の端子２３が信号用端子２３ｃとなっている。
【００１７】
カバー２２は、図２に示すように、金属板を正面視門形状に折り曲げて形成され、カード挿入部２１の上面を覆うとともに左右両側板がハウジング２０の左右両外側面に沿って配される。左右両側板の下縁部のうち、図１に示すように、前後両端部（図１中、左右両端部）の計４箇所が回路基板２４の実装面に沿って直角に張り出しており、この張り出し部２２ａが回路基板２４のグランドパターン２４ａに半田付けされるようになっている。
【００１８】
カバー２２の前縁部は、その左右両縁部が前方に延出形成されるとともに上縁部が斜め上方に向けて延出形成されており、図２に示すように、左右両側板間に金属製の開閉扉２５が回動可能に支持されている。開閉扉２５はカード挿入口２１ａを塞ぐ横長な方形状に形成されるとともに、左右両縁部に回動軸２５ａ、２５ａが突出形成されており、その両回動軸２５ａがカバー２２の左右両側板に形成される支持孔に嵌り込んでいる。また、図２中、正面視左側の回動軸２５ａには捻りコイルバネ２６が取着されており、常時開閉扉２５がカード挿入口２１ａを閉じる位置に付勢されるようになっている。
【００１９】
さらに、開閉扉２５には、図６に示すように左右両端部（図６中、上下両端部）に突出部２７、２７が対向して形成されている。各突出部２７は、開閉扉２５の内側から外側へ打ち出し形成されるとともに上下方向に延出形成されている。各突出部２７の内側縁部（図６中、下側の突出部２７においては上側縁部、上側の突出部２７においては下側縁部）は、挿入開始状態にあるカード１０の左右両端側に位置するグランド用接触部１２ａの外側縁部（図６中、下端側のグランド用接触部１２ａにおいては下側縁部、上端側のグランド用接触部１２ａにおいては上側縁部）をカード挿入口２１ａ側へ延ばした線上とほぼ同じ位置或いはそれよりも僅かに外方の位置に形成される。即ち、挿入開始状態にあるカード１０のグランド用接触部１２ａから突出部２７までの最短距離Ａ１が、信号用接触部１２ｃから開閉扉２５までの最短距離Ａ２より短くなっている。
【００２０】
また、開閉扉２５には、図２に示すように、右側縁部に当接部２８が張り出しており、この当接部２５ｂの前面にカバー２２の側板前縁部を内方へ折り曲げて形成される折り曲げ部２２ｂが当接するようになっている。これにより、開閉扉２５の外側方向への回動が規制されるとともに、開閉扉２５とカバー２２とが電気的に接触し、開閉扉２５はカバー２２を介して張り出し部２２ａから回路基板２４のグランドに導通される。
【００２１】
なお、本実施形態のカード用コネクタ装置が組み込まれる筐体には挿入口２８が設けられており、カード１０の挿入が開始される挿入開始状態でカード１０は、その挿入口２８の開口縁部にガイドされ、上記グランド用接触部１２ａから突出部２７までの最短距離Ａ１と信号用接触部１２ｃから開閉扉２５までの最短距離Ａ２との関係が維持される。
【００２２】
次に、本実施形態の作用について説明する。静電気に帯電したカード１０或いは静電気に帯電した操作者がカード１０を挿入する場合、カード１０をカード挿入口２１ａに近づけていくと、カード１０の各グランド用接触部１２ａから突出部２７までの最短距離Ａ１が信号用接触部１２ｃから開閉扉２５までの最短距離Ａ２より短いため、静電気は信号用接触部１２ｃから開閉扉２５に放電され難く、グランド用接触部１２ａから突出部２７に放電される（図６参照）。
開閉扉２５に放電された静電気は、当接部２５ｂを介してカバー２２に流れ、さらに張り出し部２２ａから回路基板２４のグランドに流れる。
【００２３】
続いて、カード１０は、前端部で開閉扉２５を押しながら開閉扉２５を内方へ回動させてカード挿入口２１ａ内へと挿入されていく。そして、カード挿入部２１の挿着位置へと案内され、カード１０の各接触部１２と各端子２３とがそれぞれ接触する。
【００２４】
このように上記実施形態では、開閉扉２５に突出部２７を形成し、挿入開始状態にあるカード１０のグランド用接触部１２ａから突出部２７までの最短距離Ａ１が信号用接触部１２ｃから開閉扉２５までの最短距離Ａ２より短くなるようにしたので、カード挿入開始時にカード１０に帯電した静電気はグランド用接触部１２ａから突出部２７に放電され易くなり、静電気の放電でカード１０内の回路の信号ラインに高電圧が発生してカード１０内のＩＣ、或いは記憶データ等が破壊されてしまうことを防止できる。
【００２５】
また、各突出部２７は、挿入開始状態にあるカード１０のグランド用接触部１２ａの外側縁部をカード挿入口２１ａ側へ延ばした線上とほぼ同じ位置或いはそれよりも外方に位置するように形成したので、挿入開始状態にあるカード１０のグランド用接触部１２ａから突出部２７までの最短距離Ａ１を、信号用接触部１２ｃから開閉扉２５までの最短距離Ａ２より確実に短くすることができる。
【００２６】
さらに、開閉扉２５は、カバー２２を介して回路基板２４のグランドに導通しているため、開閉扉２５に放電された静電気は回路基板２４のグランドに流れ、回路基板２４の信号ラインに静電気が流れることを回避できる。
【００２７】
＜第２実施形態＞
以下、本願発明のカード用コネクタ装置を具体化した第２実施形態について図７を参照して説明する。なお、第１実施形態と同一構成については、同一符号を付して詳細な説明は省略する。
【００２８】
第２実施形態では、開閉扉３０は第１実施形態同様、横長な方形状に形成されるとともに回動可能に支持されてなるが、その中央領域が内方へ膨出して形成される。この膨出した領域以外の部分である左右両端部が本発明の突出部３１、３１に相当し、各突出部３１の内側縁部（図７中、下側の突出部３１においては上側縁部、上側の突出部３１においては下側縁部）は、挿入開始状態にあるカード１０のグランド用接触部１２ａの外側縁部（図７中、下端側のグランド用接触部１２ａにおいては下側縁部、上端側のグランド用接触部１２ａにおいては上側縁部）をカード挿入口２１ａ側へ延ばした線上とほぼ同じ或いはそれよりも外方の位置に形成される。即ち、上記第１実施形態同様、挿入開始状態にあるカード１０のグランド用接触部１２ａから突出部３１までの最短距離Ｂ１が、信号用接触部１２ｃから開閉扉３０までに最短距離Ｂ２より短くなっている。
【００２９】
これにより、挿入されるカード１０が静電気に帯電していても静電気は信号用接触部１２ｃから開閉扉３０に放電され難く、第１実施形態同様、静電気の放電でカード１０内のＩＣ等が破壊されることを防止できるという効果を奏する。
【００３０】
なお、本発明は上記実施形態に限定されるものではなく、例えば次のように変して実施することができ、これらの実施形態も本発明の技術的範囲に属する。
（１）  上記第１実施形態では、各突出部２７は開閉扉２５の内側を外側へ打ち出すことにより形成されたが、折り曲げ、切り起こし等によって形成されるものであってもよい。
【００３１】
（２）  上記第１実施形態では、開閉扉２５はカバー２２を介して回路基板２４のグランドに導通していたが、直接回路基板のグランドに導通する構成であってもよい。
【００３２】
（３）  上記第１実施形態では、両端側にグランド用接触部１２ａが位置するカード１０を装着するものであったが、一端側にグランド用接触部が位置するカード、或いは、その他の位置にグランド用接触部が配されているカードを装着するものであってもよい。
その他、本発明は要旨を逸脱しない範囲内で種々変更して実施することができる。
【図面の簡単な説明】
【図１】第１実施形態のカード用コネクタ装置全体を示す上面図である。
【図２】同実施形態のカード用コネクタ装置全体を示す正面図である。
【図３】同実施形態のカード用コネクタ装置全体を示す側面図である。
【図４】同実施形態のカード用コネクタ装置全体を示す外観斜視図である。
【図５】同実施形態のカバーを取った状態を示す上面図である。
【図６】同実施形態のカード挿入開始状態を平断面図である。
【図７】第２実施形態のカード挿入開始状態を示す平断面図である。
【図８】従来例を示す平断面図である。
【符号の説明】
１０  カード
１２  接触部
１２ａ  グランド用接触部
１２ｃ  信号用接触部
２１  カード挿入部
２１ａ  カード挿入口
２２  カバー
２３  端子
２３ａ  グランド用端子
２３ｃ  信号用端子
２５  開閉扉
２７  突出部
３０  開閉扉
３１  突出部
【図１】
0003782974.tif 000002
【図２】
0003782974.tif 000003
【図３】
0003782974.tif 000004
【図４】
0003782974.tif 000005
【図５】
0003782974.tif 000006
【図６】
0003782974.tif 000007
【図７】
0003782974.tif 000008
【図８】
0003782974.tif 000009